(57)【要約】      （修正有）【課題】建設装備の作業中、ハンドレールに伝達される過度な振動荷重を削減することができ、且つ作業者の安全確保が可能な折曲式建設装備用ハンドレールを提供する。【解決手段】掘削機などのような建設装備の側面部に所定長さの両端部が堅固に取り付けられているハンドレール２０において、前記側面部の前端に一方の端が固定された第１セクション部２１と、前記側面部の後端に一方の端が固定された第２セクション部２２と、両端が前記第１セクション部及び第２セクション部のそれぞれの他方の端に対して折曲するように締結された第３セクション部２３とからなることを特徴とする折曲式建設装備用ハンドレール。【選択図】図３
2008144573.tif 000002
【特許請求の範囲】
【請求項１】
掘削機などのような建設装備の側面部に所定長さの両端部が堅固に取り付けられているハンドレールにおいて、
前記側面部の前端に一方の端が固定された第１セクション部、前記側面部の上部面に立設し、一方の端が固定された第２セクション部及び、
両端がそれぞれ前記第１セクション部及び第２セクション部の他方の端に対して折曲するように締結された第３セクション部からなることを特徴とする折曲式建設装備用ハンドレール。
【請求項２】
前記第３セクション部を折曲した状態で保持するために前記側面部に支持手段をさらに備えることを特徴とする請求項１に記載の折曲式建設装備用ハンドレール。
【請求項３】
前記支持手段は、前記側面部の複数箇所に備えられることを特徴とする請求項２に記載の折曲式建設装備用ハンドレール。
【請求項４】
前記支持手段は、前記第３セクション部を挿入することで固定し得るような掛け金からなることを特徴とする請求項２又は３に記載の折曲式建設装備用ハンドレール。
【請求項５】
前記掛け金は、弾性と減衰性質を持っており、且つ、軟質でありながら耐久性に優れた材質からなることを特徴とする請求項４に記載の折曲式建設装備用ハンドレール。
【請求項６】
前記第１セクション部と前記第３セクション部との締結は、ユニバーサルジョイントを用い、前記第１セクション部に対して第３セクション部が方向自在に作動するようになっていることを特徴とする請求項１に記載の折曲式建設装備用ハンドレール。
【請求項７】
前記第２セクション部と第３セクション部との締結は、９０度の角度で回転するジョイントを用い、前記第２セクション部に対して第３セクション部が９０度の角度で折曲するようになっていることを特徴とする請求項１に記載の折曲式建設装備用ハンドレール。
【発明の詳細な説明】
【技術分野】
【０００１】
本発明は、建設装備用部品等のうち、ハンドレールのように過度な振動を受け易い構造物に対して振動低減を図ることに関する。
【背景技術】
【０００２】
建設装備は、該作業の特性上、大きい作業荷重と過度な振動荷重とが共に働く場所で用いる場合が多い。このため、建設装備の作業中、作業装置、エンジンなどから生じ得る様々な作業荷重が装備全体に伝えられ、各部品らは、荷重を大きく受けるようになる。
【０００３】
特に、過度な振動荷重を受ける建設装備の部品は、使用中の振動荷重による疲労のため破損されることが多い。それ故、建設装備の部品を設計するに際し、最も優先すべき課題は、振動荷重に対する高耐久性を確保することにある。
【０００４】
こうした建設装備用部品等のうち、ハンドレールのような構造物は、建設装備の運転者や作業者の安全確保に直接結びつく装置であるから、これら部品は、必ず充分な耐久性を持つように設計しなければならない。特に、掘削機のハンドレールは、掘削機の上部本体に直結した形態に設けられている。
【０００５】
作業の途中に注油を行ったり、整備及びメンテナンスをする場合、作業者は、ハンドレールを利用して掘削機の上部本体に容易に乗り降りすることによって作業を行うことが可能となる。この際、ハンドレールは、作業者の落下事故を防止する安全装置の役割を果たす。そこで、安全のための高さ及び荷重に対する規定は、ＩＳＯ/ＦＤＩＳ２８６７(ハンドレール荷重及び高さの規制)によく示されている。
【０００６】
図１は、従来技術による建設装備、特に掘削機に装着のハンドレールの形状を部分拡大して示したものであって、一般にハンドレール２０は、掘削機上部本体１０の前方側面部１１に立設した形態に作製されている。このため、掘削機が作業を行うに際し、多くの振動荷重がハンドレール２０に伝えられる。したがって、ハンドレール２０は、振動荷重による疲労を受けることによって脆弱な部分が破損されてしまう場合が多い。即ち、従来のハンドレール２０は、建設装備の作業中に生じえる過度な作業荷重を受け易い構造となっている。
【０００７】
特に、建設装備の作業装置から側面部１１に固定のハンドレール２０の両端固定部位２０ａに振動荷重が伝えられると、前記タイプのハンドレール２０は、荷重の周波数に沿って動くようになっている。このような現象が続くと、ハンドレール２０それ自体の振動がさらに増幅し、ハンドレール２０の固定部位２０ａは振動荷重をその通り受けるようになり、破損の危険性がさらに高まるという問題を生じさせる。
【発明の開示】
【発明が解決しようとする課題】
【０００８】
本発明は、かかる従来技術の問題点等に鑑みてなされたものであり、該目的は、建設装備の作業中にハンドレールに伝わってくる振動荷重の影響を低減することができる構造のハンドレールを構成することによって、作業中、振動荷重に対するより高い振動耐久性を有する改善されたハンドレールを提供することを目的とする。
【課題を解決するための手段】
【０００９】
前記目的は、掘削機などのような建設装備の側面部に所定長さの両端部が堅固に取り付けられているハンドレールにおいて、前記側面部の前端に一方の端が固定された第１セクション部と、前記側面部の後端に一方の端が固定された第２セクション部と、両端がそれぞれ前記第１セクション部及び第２セクション部の他方の端に対して折曲するように締結された第３セクション部とからなることを特徴とする折曲式建設装備用ハンドレールによって達成される。
【００１０】
本発明によれば、前記第３セクション部を折曲した状態で保持するために前記上部本体の側面部の多数箇所に構成し得る支持手段をさらに含める。前記支持手段は、前記第３セクション部を挿入することで固定し得る掛け金からなる。さらに、前記掛け金は、適宜な弾性と減衰性質を有する軟質でありながら、耐久性に優れた材質からなる。
【００１１】
本発明によれば、前記第１セクション部と前記第３セクション部との締結は、ユニバーサルジョイントを用い、前記第１セクション部に対して第３セクション部が方向自在に作動するようになっている。また、前記第２セクション部と第３セクション部との締結は、９０度の角度で変わるジョイントを用い、前記第２セクション部に対して第３セクション部が９０度の角度で折曲するようになっている。
【発明の効果】
【００１２】
本発明の折曲式建設装備用ハンドレールによれば、建設装備の上部本体で行うべき作業がある場合には、ハンドレールを起立させたのちに当該ハンドレールを介して上部本体に上がって様々な作業を行うことができ、且つ、上部本体上における作業終了後、ハンドレールを再び折曲することができる。
【００１３】
前述した通り、作業者にとっては安全意識を改めて確認させ得ると共に、実際の作業時には、ハンドレールに伝達される過度な振動荷重を削減することができ、作業者の安全確保及び振動耐久性向上という一石二鳥の効果が得られる。
【発明を実施するための最良の形態】
【００１４】
以下、本発明の望ましい実施例を添付図面に基づいて詳しく説明する。
図２は、本発明の実施例による掘削機に取り付けられたハンドレールの使用状態図を示している。但し、本発明は、実施例の掘削機に限定されるものではなく、ハンドレールが用いられるような全ての建設装備に適用し得ることは、当業者にとって自明である。
【００１５】
図２は、掘削機の上部本体１０の側面部１１に所定長さの両端部が堅固に固着されたハンドレール２０を示している。 
【００１６】
前記ハンドレールは、前記側面部１１の前端に一方の端が固定された第１セクション部２１と、前記側面部１１の上部面に立設され、一方の端が固定された第２セクション部２２と、両端が前記第１セクション部２１及び第２セクション部２２にそれぞれジョイント結合する第３セクション部２３とが折曲式に構成されている。
【００１７】
図２の下部左右図は、ハンドレール２０を折曲した状態、つまり折曲様態を示しているが、さらに詳しくは、前記第３セクション部２３が前記第１セクション部２１及び第２セクション部２２に対して回転しながら折曲するようになっている。また、前記第３セクション部２３を折曲した状態で保持せしめる支持手段１２が前記上部本体１０の側面部１１に備えられている。
【００１８】
即ち、折曲式のハンドレール２０は、第１セクション部２１と第２セクション部２２のそれぞれに対して前記第３セクション部２３が折曲自在に締結されることが可能な構造からなることによって、ハンドレール２０は折曲するようになり、次いで折曲した方向に支持手段１２が第３セクション部２３を保持するようになっている。
【００１９】
図３は、本発明の一実施例によるハンドレールの構成要素の連結部と支持手段とを示した部分拡大図であって、図に於いてＡ及びＢはジョイント連結部を意味する。
【００２０】
Ａの場合、前記第２セクション部２２と第３セクション部２３とのジョイント結合は、一方向に９０度の角度で回転する９０度角度ジョイント３１を介して前記第２セクション部２２に対して第３セクション部２３が９０度の角度で折曲するように構成し、且つ、Ｂの場合、前記第１セクション部２１と前記第３セクション部２３には、方向自在なユニバーサルジョイント３２を用いることによって図面のような折曲式ハンドレール２０を構成することができる。
【００２１】
図面のＣは、第３セクション部２３の折曲状態を保持する支持手段１２を示している。場合によって、この支持手段は、一箇所及び多箇所に備わることができる。前記支持手段１２は、掛け金のような形状からなっているから、前記第３セクション部２３を前記掛け金に好適に挿入して係止するように設計することができる。前記掛け金は適切な弾性と減衰性質を持っていることがよく、着脱が容易に行われるようにゴム材のような軟質でありながらも振動に対する感受性と耐久性に優れた材質を用いることが好ましい。
【００２２】
こうしたように折曲式ハンドレール２０の第３セクション部２３を支持手段１２を通じてさらに保持することによって、ハンドレール２０は、両端支持から多端支持となり、ハンドレール２０そのものの安全性が大きく改善できる。
【００２３】
また、折曲式ハンドレール２０の第３セクション部２３を支持手段１２に挿入すると、支持手段１２の弾性と減衰性能により、ハンドレール２０それ自体から生じる振動を大幅に削減することができる。さらに、作業中には、図示の如く、ハンドレール２０を上部本体の１０上面に倒した状態のように上部本体に近接せしめ、前記掛け金のような固定具に挿入する。これは、工学的な面で考えると長尺の構造物の複数箇所に減衰器を設けたのと同様な効果を奏するといえる。
【００２４】
即ち、折曲式ハンドレールは、構造物中間に荷重の不連続区間が生じるため、ハンドレールの固定部で生じた振動荷重がハンドレール全体に伝わらない。また、建設装備の作業中、ハンドレールの第３セクション部２３を折曲した状態で保持すると、振動荷重を大幅に減らすことができる。
【００２５】
前述の構成により、建設装備の作業中、ハンドレールにかかる振動荷重を大きく減らすことができることによって、振動荷重に対するハンドレールの耐久寿命を延長させることができると共に運転者にとっては更なる安全を目指すことができ、且つ、建設装備の運転者及び作業者に安全な環境を提供するという役割を奏する。
【００２６】
以上、本発明の詳細な説明においては、具体的な実施例について述べているが、本発明の範囲から外れない範囲内にて様々な変形が可能であることは本発明の技術分野における通常の知識を有する者にとって自明である。
【図面の簡単な説明】
【００２７】
【図１】従来技術による建設装備に装着のハンドレールを示した斜視図である。
【図２】本発明の実施例による建設装備に装着のハンドレールの使用状態図である。
【図３】本発明の実施例による折曲式建設装備用ハンドレールの構成要素の連結状態と支持方法とを示した部分拡大図である。
【符号の説明】
【００２８】
１０  上部本体
１２  支持手段
２０  ハンドレール 
２１  第１セクション部
２２  第２セクション部
２３  第３セクション部
３１  ９０度角度ジョイント
３２  ユニバーサルジョイント
【図１】
2008144573.tif 000003
【図２】
2008144573.tif 000004
【図３】
2008144573.tif 000005